(57)【要約】  被写体の再現性が高い画像を撮像する撮像システムを提供することを目的とする。  撮像に関する設定値である撮像条件にしたがって撮像する撮像装置２と、表示に関する設定値である表示条件にしたがって撮像装置２で撮像された画像を表示する表示装置１と、表示条件に対応した撮像条件を決める撮像条件決定部１４とを備え、表示装置１で表示条件が変更された場合に、撮像条件決定部１４が変更後の表示条件に対応した撮像条件を決め、撮像装置２では撮像条件決定部１４が決めた撮像条件に撮像条件変更部２３が記憶する撮像条件を変更する。
2011154997.tif 000002
【特許請求の範囲】
【請求項１】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、
前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、
前記表示条件に対応した前記撮像条件を決める撮像条件決定部とを備え、
前記表示装置において、前記表示条件変更部により前記表示条件記憶部に記憶された前記表示条件が変更された場合に、前記撮像条件決定部が変更後の前記表示条件に対応した前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項２】
前記表示条件変更部が前記表示部の発光量を減少させるように前記表示条件記憶部に記憶された前記表示条件を変更した場合に、前記撮像条件決定部が、前記撮像部が撮像する輝度範囲の上限が小さくなるように前記撮像条件を決定し、
前記表示条件変更部が前記表示部の発光量を増加させるように前記表示条件記憶部に記憶された前記表示条件を変更した場合に、前記撮像条件決定部が、前記撮像部が撮像する輝度範囲の上限が大きくなるように前記撮像条件を決定することを特徴とする請求項１に記載の撮像システム。
【請求項３】
前記撮像装置および前記表示装置は車両に取り付けられ、
前記車両に設けられたランプの点灯または消灯を示す点灯信号を取得する点灯信号取得部を備え、
前記点灯信号取得部が取得した前記点灯信号が前記表示条件変更部に入力され、
前記表示条件変更部が、点灯を示す前記点灯信号が入力された場合に、前記表示部の発光量を減少させるように前記表示条件記憶部に記憶された前記表示条件を変更し、消灯を示す前記点灯信号が入力された場合に、前記表示部の発光量を増加させるように前記表示条件記憶部に記憶された前記表示条件を変更することを特徴とする請求項２に記載の撮像システム。
【請求項４】
前記表示条件変更部が、現在時刻に基づいて、前記表示部の発光量を減少または増加させるように前記表示条件記憶部に記憶された前記表示条件を変更することを特徴とする請求項２に記載の撮像システム。
【請求項５】
前記表示条件変更部は、現在の日時と前記車両の位置に基づいて、前記表示部の発光量を減少または増加させるように前記表示条件記憶部に記憶された前記表示条件を変更することを特徴とする請求項２に記載の撮像システム。
【請求項６】
前記表示条件変更部は、現在の日時と前記車両の位置および走行方向に基づいて、前記表示部の発光量を減少または増加させるように前記表示条件記憶部に記憶された前記表示条件を変更することを特徴とする請求項２に記載の撮像システム。
【請求項７】
前記表示条件変更部は、前記表示装置の周囲の照度に基づいて、前記表示部の発光量を減少または増加させるように前記表示条件記憶部に記憶された前記表示条件を変更することを特徴とする請求項２に記載の撮像システム。
【請求項８】
前記表示部は、光源としてのバックライトと前記バックライトから出力される光により画像を表示する画像表示素子とを有し、
前記表示条件変更部は、前記画像表示素子の種類を示すパネル情報を前記画像表示素子から取得し、前記パネル情報に基づいて、前記表示条件を変更することを特徴とする請求項１ないし請求項７のいずれかに記載の撮像システム。
【請求項９】
前記表示装置が、前記表示条件の基準値を記憶する前記基準表示条件記憶部を有し、
前記撮像条件決定部が、前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決めることを特徴とする請求項１に記載の撮像システム。
【請求項１０】
前記撮像条件決定部が、前記表示条件の変更前に前記表示部に表示される画像と同じまたは差が小さい画像が前記表示部に表示されるように、前記表示条件の変化量に基づき、前記撮像条件を決めることを特徴とする請求項１に記載の撮像システム。
【請求項１１】
表示に関する設定値である表示条件にしたがって画像を表示し、前記表示条件を外部に出力する表示装置と接続される撮像装置であって、
撮像に関する設定値である撮像条件を記憶する撮像条件記憶部と、
前記撮像条件記憶部に記憶された前記撮像条件にしたがって被写体を撮像し画像信号を生成する撮像部と、
前記画像信号を前記表示装置に出力し、前記表示装置から送られる前記表示条件を受信する通信部と、
前記通信部が受信した前記表示条件に対応した前記撮像条件を決める撮像条件決定部と、
前記撮像条件決定部が決めた前記撮像条件に前記撮像条件記憶部が記憶する前記撮像条件を変更する前記撮像条件変更部とを備えた撮像装置。
【請求項１２】
撮像に関する設定値である撮像条件にしたがって撮像し、前記撮像条件が外部から変更できる撮像装置と接続される表示装置であって、
表示に関する設定値である表示条件を記憶する表示条件記憶部と、
前記撮像装置が撮像した画像を前記表示条件記憶部に記憶された前記表示条件にしたがって表示する表示部と、
前記表示条件記憶部に記憶された前記表示条件を変更する表示条件変更部と、
前記表示条件に対応した前記撮像条件を決める撮像条件決定部と、
前記撮像装置と通信する通信部とを備え、
前記表示条件変更部により前記表示条件記憶部に記憶された前記表示条件が変更された場合に、前記撮像条件決定部が変更後の前記表示条件に対応した前記撮像条件を決め、決められた前記撮像条件を前記通信部により前記撮像装置に送信することを特徴とする表示装置。
【発明の詳細な説明】
【技術分野】
【０００１】
この発明は、撮像条件にしたがって画像を撮像する撮像装置と、撮像した画像を表示する表示装置とを有し、表示装置の表示条件の変化に応じて、変化後の表示条件で適切に表示できるように撮像条件を変化させる撮像システム、撮像装置および表示装置に関する。
【背景技術】
【０００２】
撮像する撮像装置と撮像装置で撮像した画像を表示する表示装置を有するシステムでは、撮像装置は設定された撮像条件に基づいて被写体を撮像して画像信号を生成し、表示装置は設定された表示条件に基づいて画像信号に基づく画像を表示する。しかし、撮像装置の撮像条件と表示装置の表示条件とは個別に設定されるので、撮像条件と表示条件との間で整合がとれていないと、画像を適切に表示させることができない。そこで、撮像装置が被写体を撮像したときの撮像条件に合わせて表示条件を変更することにより、画像を適切に表示するようにした画像表示システムがある（特許文献１）。
【先行技術文献】
【特許文献】
【０００３】
【特許文献１】特開２００７−１７８８３１号公報
【発明の概要】
【発明が解決しようとする課題】
【０００４】
しかし、特許文献１の画像表示システムでは、任意の撮像条件により被写体を撮像することで得られた画像信号に対し、表示装置にて表示条件に基づく補正を行っている。撮像条件として設定されたダイナミックレンジなどの値によると、その値では撮像できない情報は、そもそも画像信号には含まれない。そのため、そのような画像信号に含まれない情報を十分に補うことは、表示装置で表示設定を変更することだけでは実現できない。よって、画像における被写体の再現性が低いという問題があった。【０００５】
この発明は、このような課題に対してなされたものであり、画像における被写体の再現性を高めることができる撮像システムを提供することを目的とする。
【課題を解決するための手段】
【０００６】
この発明に係る撮像システムは、撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、前記表示条件に対応した前記撮像条件を決める撮像条件決定部とを備え、前記表示装置において、前記表示条件変更部により前記表示条件記憶部に記憶された前記表示条件が変更された場合に、前記撮像条件決定部が変更後の前記表示条件に対応した前記撮像条件を決め、前記撮像装置において、前記撮像条件決定部が決めた前記撮像条件に前記撮像条件変更部が前記撮像条件記憶部が記憶する前記撮像条件を変更することを特徴とするものである。【０００７】
また、この発明に係る撮像装置は、表示に関する設定値である表示条件にしたがって画像を表示し、前記表示条件を外部に出力する表示装置と接続される撮像装置であって、撮像に関する設定値である撮像条件を記憶する撮像条件記憶部と、前記撮像条件記憶部に記憶された前記撮像条件にしたがって被写体を撮像し画像信号を生成する撮像部と、前記画像信号を前記表示装置に出力し、前記表示装置から送られる前記表示条件を受信する通信部と、前記通信部が受信した前記表示条件に対応した前記撮像条件を決める撮像条件決定部と、前記撮像条件決定部が決めた前記撮像条件に前記撮像条件記憶部が記憶する前記撮像条件を変更する前記撮像条件変更部とを備えたものである。【０００８】
また、この発明に係る表示装置は、撮像に関する設定値である撮像条件にしたがって撮像し、前記撮像条件が外部から変更できる撮像装置と接続される表示装置であって、表示に関する設定値である表示条件を記憶する表示条件記憶部と、前記撮像装置が撮像した画像を前記表示条件記憶部に記憶された前記表示条件にしたがって表示する表示部と、前記表示条件記憶部に記憶された前記表示条件を変更する表示条件変更部と、前記表示条件に対応した前記撮像条件を決める撮像条件決定部と、前記撮像装置と通信する通信部とを備え、前記表示条件変更部により前記表示条件記憶部に記憶された前記表示条件が変更された場合に、前記撮像条件決定部が変更後の前記表示条件に対応した前記撮像条件を決め、決められた前記撮像条件を前記通信部により前記撮像装置に送信することを特徴とするものである。
【発明の効果】
【０００９】
この発明によれば、画像における被写体の再現性を高めることができる。
【図面の簡単な説明】
【００１０】
【図１】実施の形態１に係るカメラシステムの構成を示すブロック図である。
【図２】実施の形態１に係るカメラシステムにおけるディスプレイの構成を示すブロック図である。
【図３】実施の形態１に係るカメラシステムにおけるカメラの構成を示すブロック図である。
【図４】実施の形態１に係るカメラシステムにおける変化抽出部の動作を示すフロー図である。
【図５】実施の形態１に係るカメラシステムにおける通信コマンド生成部の動作を示すフロー図である。
【図６】実施の形態１に係るカメラシステムにおけるカメラ画像パラメータ調整部の動作を示すフロー図である。
【図７】実施の形態２に係るカメラシステムの構成を示すブロック図である。
【図８】実施の形態２に係るカメラシステムにおけるカメラ画像パラメータとディスプレイ画像パラメータとの関係を示す対応図である。
【図９】実施の形態３に係るカメラシステムの構成を示すブロック図である。
【発明を実施するための形態】
【００１１】
実施の形態１．
図１は、実施の形態１に係るカメラシステムの構成を示すブロック図である。本実施の形態に係るカメラシステムは車両に搭載される車載用カメラシステムである。図１において、カメラシステム（撮像システム）は、車内に設置されたホストユニット１（表示装置）、および当該ホストユニット１と接続され車両の周囲を撮像するカメラユニット２（撮像装置）とを含んで構成されている。カメラシステムは、車両の周囲をカメラユニット２が撮像し、撮像された車両の周囲の画像をホストユニット１が表示することにより、運転手に車両の周囲の状況を確認させるものである。電子制御ユニット３は、一般に車両に搭載されているＥＣＵ（Electric Control Unit）であり、車両に搭載されている各種計測機器の計測値を検出し、車両情報として出力するものである。ホストユニット１は電子制御ユニット３から出力される車両情報を利用して、処理を行う。
【００１２】
ホストユニット１は、画像を表示するディスプレイ１７（表示部）、ディスプレイ１７に画像を表示させる上でのパラメータに対する設定値であるディスプレイ画像パラメータ（表示条件）を格納するディスプレイ画像パラメータ格納部１１（表示条件記憶部）、ディスプレイ画像パラメータ格納部１１に格納されたディスプレイ画像パラメータを変更するディスプレイ画像パラメータ変更部１２、ディスプレイ画像パラメータ格納部１１に格納されているディスプレイ画像パラメータのうち、変化したパラメータを抽出する変化抽出部１３、変化抽出部１３にて抽出された変化したディスプレイ画像パラメータに基づいて、カメラユニット２をどのように制御するかを判断し、通信コマンドを生成する通信コマンド生成部１４、通信コマンド生成部１４にて生成された通信コマンドをカメラユニット２に対し送信する通信コマンド送信部１５（撮像条件出力部）、カメラユニット２から後述画像信号を受信する画像信号受信部１６を含んで構成されている。
【００１３】
この実施の形態では、ディスプレイ画像パラメータ変更部１２は、電子制御ユニット３から出力される車両情報のうち、車両の運転者がライトスイッチを操作して車両に搭載されたランプを点灯させたことを示すＩＬＬ信号（点灯信号）を検出し、検出したＩＬＬ信号に基づいてディスプレイ画像パラメータ格納部１１に格納されたディスプレイ画像パラメータを変更する。画像信号受信部１６にて受信した画像信号は、ディスプレイ画像パラメータ格納部１１に格納されたディスプレイ画像パラメータに基づいてディスプレイ１７表示される。
【００１４】
通信コマンド生成部１４は、ディスプレイ画像パラメータの基準値（通常は、工場出荷時に設定されている値）を持っており、基準値との差異量に基づいてカメラユニット２の撮像に関するパラメータをどのように変更するかを判断し、その変更を伝えるコマンドを生成する。
【００１５】
変化抽出部１３および通信コマンド生成部１４は、ディスプレイ画像パラメータ格納部１１に格納されているディスプレイ画像パラメータと基準値との差異量に基づいて、後述のカメラ２４がどのように画像を撮像するかを示す撮像条件を決定する撮像条件決定部を構成する。また、通信コマンド送信部１５および画像信号受信部１６は通信部１８を構成する。なお、基準値は、通信コマンド生成部１４が記憶しているものとしたが、ディスプレイ画像パラメータ格納部１１に記憶させておき、通信コマンド生成部１４が通信コマンドを生成する際に読み出すようにしてもよいし、基準値を格納する構成を別途設け、通信コマンド生成部１４が通信コマンドを生成する際にこの構成から読み出すようにしてもよい。いずれにしても、ディスプレイ画像パラメータ（表示条件）の基準値を記憶する基準表示条件記憶部を、ホストユニット１は有する。
【００１６】
カメラユニット２は、カメラでどのように画像を撮像するかに関するパラメータに対する設定値であるカメラ画像パラメータ（撮像条件）を格納するカメラ画像パラメータ格納部２１（撮像条件記憶部）、ホストユニット１の通信コマンド送信部１５から送信された通信コマンドを受信する通信コマンド受信部２２、通信コマンド受信部２２が受信した通信コマンドに基づいてカメラ画像パラメータ格納部２１に格納されたカメラ画像パラメータを変更するカメラ画像パラメータ調整部２３（撮像条件変更部）、車両に取り付けられ、カメラ画像パラメータ格納部２１に格納されたカメラ画像パラメータに基づいて車両の周囲を撮像して画像信号を生成するカメラ２４（撮像部）、カメラ２４から出力された画像信号をホストユニット１の画像信号受信部１６に送信する画像信号送信部２５を含んで構成されている。なお、通信部２６は通信コマンド受信部２２および画像信号送信部２５を含んで構成されている。
【００１７】
図２は、ディスプレイ１７の構成を示すブロック図である。図２において、ディスプレイ１７は、画像信号に含まれる色信号を調整する色信号調整部１７１、画像信号に含まれる輝度信号を調整する輝度信号調整部１７２、光源としてのバックライト１７３と、バックライト１７３から出力される光を、輝度信号調整部１７２から出力される画像信号に基づいて変調した画像を表示するＬＣＤパネル１７４（画像表示素子）と、バックライト１７３の発光量を調整するバックライト調光部１７５とを含んで構成されている。
【００１８】
ディスプレイ画像パラメータ格納部１１には、以下に示すようなディスプレイ画像パラメータが格納されている。ディスプレイ画像パラメータは、画質に関するものとそれ以外に分類できる。
【００１９】
（画質に関するディスプレイ画像パラメータ）
(A1) ガンマカーブ調整情報。
(A2) ノイズ圧縮調整情報。
(A3) 色輪郭補正情報。
(A4) 輝度輪郭補正情報。
(A5) HUE（色相）調整情報。
(A6) 彩度調整情報。
(A7) コントラスト調整情報。
(A8) シャープネス調整情報。
【００２０】
（画質に関するもの以外のディスプレイ画像パラメータ）
(B1) 自動色調整（Automatic Color Control）情報。入力信号の強度によらず色信号の強度を一定に保つようにするため情報。
(B2) 白ピーク制御（White Peak Control）情報。入力信号の強度によらず輝度信号の強度を一定に保つようにするための情報。
(B3) バックライト調光情報（発光量情報）。バックライト１７５の発光量を表す情報。
(B4) ＬＣＤパネル１７４のドットサイズ情報（解像度情報）。
(B5) ディスプレイ１７のフレームレート情報。
(B6) 色空間情報。ディスプレイ１７で表示できる色の範囲を表す情報。
【００２１】
色信号調整部１７１は、ディスプレイ画像パラメータ格納部１１に格納されたパラメータの中で、(B1)自動色調整情報、(A1)ガンマカーブ調整情報、(A2)ノイズ圧縮調整情報、(A3)色輪郭補正情報、(A5)HUE調整情報、(A6)彩度調整情報、(A7)コントラスト調整情報、(A8)シャープネス調整情報、(B4)ＬＣＤパネル１７４の解像度情報、(B5)フレームレート情報に基づいて、画像信号に含まれる色信号を調整する。
【００２２】
輝度信号調整部１７２は、ディスプレイ画像パラメータ格納部１１に格納されたパラメータの中で、(B2)白ピーク制御情報、(A1)ガンマカーブ調整情報、(A2)ノイズ圧縮調整情報、(A4)輝度輪郭補正情報、(A7)コントラスト調整情報、(A8)シャープネス調整情報、(B4)ＬＣＤパネル１７４の解像度情報、(B5)フレームレート情報、(B6)色空間情報に基づいて画像信号に含まれる輝度信号を調整する。
【００２３】
バックライト調光部１７５は、ディスプレイ画像パラメータ格納部１１に格納されている(B3)バックライト調光情報に基づいてバックライト１７３を発光量を調整することにより、ＬＣＤパネル１７４全体の明るさを調整する。なお、ＬＣＤパネル１７４の種類により色空間と解像度が異なるため、ＬＣＤパネル１７４の種類に応じて画像信号を調整することが望ましい。そこで、ディスプレイ画像パラメータ変更部１２は、ＬＣＤパネル１７４の種類を示すパネル種類情報を取得し、取得したパネル種類情報に基づいて決めた値に、ディスプレイ画像パラメータ格納部１１に格納されたディスプレイ画像パラメータの中で、(B4)ＬＣＤパネル１７４の解像度情報、(B5)フレームレート情報、(B6)色空間情報を変更する。このように、LCDパネルの種類によってディスプレイ画像パラメータを変更し、色信号調整部１７１および輝度信号調整部１７２による画像信号の調整、バックライト調光部１７５によるバックライト１７３の発光量を調整することにより、カメラで撮像する被写体をディスプレイ上で忠実に再現することができる。
【００２４】
カメラユニット２のカメラ画像パラメータ格納部２１には、以下に示すようなカメラ画像パラメータが格納されている。カメラ画像パラメータは、画質に関するものと撮像に関するものとが、少なくとも格納されている。
【００２５】
（画質に関するカメラ画像パラメータ）
(C1) ガンマカーブ調整情報。
(C2) フィルタ処理切り替え情報。
(C3) 輪郭強調段数切り替え情報。
(C4) HUE（色相）調整情報。
(C5) 彩度調整情報。
(C6) コントラスト調整情報。
(C7) シャープネス調整情報。
(C8) シェーディング調整情報。
(C9) 白黒レベル調整情報。
【００２６】
（撮像に関するカメラ画像パラメータ）
(D1) カメラのオート機能の情報。
(D2) カメラの撮像画面サイズ情報、
(D3) カメラの撮像フレームレート情報。
【００２７】
(D1)カメラのオート機能の情報とは、以下のような撮像に関してカメラで設定される設定値である。
（カメラのオート機能の情報）
(E1) AE（自動露光）設定情報。露光エリアや、収束の明るさ、収束の明るさへの時間的変化などのパラメータが含まれる。
(E2) AWB（自動白バランス）設定情報。バランスエリアや、収束の色空間、収束の色空間への時間的変化などのパラメータが含まれる。
(E3) AGC（オートゲインコントロール）設定情報。
(E4) BLC（ブラックレベルコントロール）設定情報。
【００２８】
図３は、カメラ２４の構成を示すブロック図である。カメラ２４は、被写体を撮像し画像信号として出力する固体撮像素子などのイメージセンサ２４１と、画像信号の黒レベルを調整する黒レベル調整部２４２と、黒レベル調整部２４２にて調整された画像信号に含まれる色信号を調整する色信号調整部２４３と、色信号調整部２４３から出力された画像信号に含まれる輝度信号を調整する輝度信号調整部２４４とを含んで構成される。イメージセンサ２４１は、カメラ画像パラメータ格納部２１に格納されたパラメータの中で、(E1)AE設定情報、(E2)AWB設定情報、(E3)AGC設定情報、(E4)BLC設定情報に基づいて被写体を撮像する。特に、イメージセンサ２４１は自動露光（AE)および自動白バランス（AWB）の機能を有しており、カメラ画像パラメータ格納部２１に格納されている(E1)AE設定情報と(E2)AWB設定情報に基づいて自動露光および自動白バランスを調整するため、最適な露光状態における最適な色状態の画像を得ることができる。
【００２９】
黒レベル調整部２４２は、カメラ画像パラメータ格納部２１に格納されている(C9)白黒レベル情報に基づいて、画像の最も黒い部分の明るさを調整する。色信号調整部２４３は、(C1)ガンマカーブ調整情報、(C2)フィルタ処理切り替え情報、(C3)輪郭強調段数切り替え情報、(C4)HUE調整情報、(C5)彩度調整情報、(C6)コントラスト調整情報、(C7)シャープネス調整情報、(C8)シェーディング調整情報、(C9)白黒レベル調整情報に基づいて画像信号に含まれる色信号を調整する。
【００３０】
輝度信号調整部２４４は、(C1)ガンマカーブ調整情報、(C2)フィルタ処理切り替え情報、(C6)コントラスト調整情報、(C7)シャープネス調整情報、(C8)シェーディング調整情報、(C9)白黒レベル調整情報に基づいて画像信号に含まれる輝度信号を調整する。輝度信号調整部２４４にて調整された画像信号は、画像信号送信部２７からホストユニット１に出力する。このように、カメラ２４は、カメラ画像パラメータ格納部２１に格納されているカメラ画像パラメータに応じて、画像信号を生成し出力する。なお、イメージセンサの種類によって、画像信号の示す画像の解像度は異なっている。
【００３１】
次に、本実施の形態に係るカメラシステムの動作について説明する。
例えば、日が沈んで車両の周囲が暗くなってくると、日中と同じ輝度で画像を表示すると、ディスプレイ１７に表示される画像が運転者にはまぶしく感じられる。そこで、このように車両の周囲が暗くなった場合、ディスプレイ１７に表示される画像を暗くするようにしている。本実施の形態にかかるカメラシステムでは、車両の周囲が暗くなったことを電子制御ユニット３から出力されるＩＬＬ信号を用いて判断している。ＩＬＬ信号とは、運転者がライトスイッチを操作してランプを点灯させたときに、ライトスイッチが操作されたことを検出した電子制御ユニット３から出力される、車両に搭載されたランプを点灯させたことを示す信号のことである。車両の運転者は、車両の周囲が暗くなるとライトスイッチを操作して車両に搭載されたランプを点灯させるため、このＩＬＬ信号を検出することにより車両の周囲が暗くなったことを検出することができる。なお、ＩＬＬ信号は、車両に搭載されたランプを点灯させたことを示す場合には、ＯＮの状態になっている。
【００３２】
ディスプレイ画像パラメータ変更部１２は、電子制御ユニット３が出力するＩＬＬ信号を検出する。ＩＬＬ信号がＯＦＦの状態からＯＮの状態に変化した場合には、ディスプレイ１７のバックライト１７３の発光量が少なくなるように、ディスプレイ画像パラメータ格納部１１に格納されているバックライト調光情報を変更する。また、ディスプレイ画像パラメータ変更部１２は、変化抽出部１３にディスプレイ画像パラメータ格納部１１に格納されているディスプレイ画像パラメータを変更した変更通知を出力する。ディスプレイ画像パラメータ変更部１２は、車両に設けられたランプの点灯または消灯を示す点灯信号を取得する点灯信号取得部でもある。
【００３３】
図４は、変化抽出部１３の動作を示すフロー図である。変化抽出部１３は、ディスプレイ画像パラメータ変更部１２から変更通知が出力されると（Ｓ３１）、ディスプレイ画像パラメータ格納部１１に格納されているパラメータのうち、変化のあったパラメータを抽出する（Ｓ３２〜Ｓ３４）。上述のようにバックライト１７３の発光量が少なくなるようにバックライト調光情報を変更させた場合には、バックライト調光情報が変化のあったパラメータとして抽出されることになる。
【００３４】
図５は、通信コマンド生成部１４の動作を示すフロー図である。通信コマンド生成部１４は、変化抽出部１３が変化したディスプレイ画像パラメータを抽出すると（Ｓ４１）、抽出したディスプレイ画像パラメータが基準値に対しどれだけ変化しているかを示す差異量を求める。そして、その差異量に基づいてカメラ画像パラメータをどのように変更するかという変更内容を決定する（Ｓ４２）。例えば、バックライト１７３を１００％の発光量で発光させるパラメータがバックライト調光情報の基準値として設定されていたときに、バックライト調光情報がバックライト１７３を５０％の発光量で発光させる値に変更されたとすると、バックライト調光情報の設定値の減少量または減少割合に応じて、カメラ２４が撮像する階調のダイナミックレンジを現在の設定よりも低い値に設定するようにする。ダイナミックレンジを小さくするために、撮像した画像信号において最も明るい階調に対応する輝度値（撮像できる輝度範囲の上限）を小さくする。小さくしたダイナミックレンジを大きくする場合には、撮像できる輝度範囲の上限を大きくする。
【００３５】
バックライト１７３の発光量を少なくした場合には、画像信号での１階調間の輝度の差が小さくなることから、画像のうち階調の小さい暗い部分は階調間の区別がつきにくくなり黒く塗りつぶされたように見えてしまうが、カメラ２４が撮像する階調のダイナミックレンジを低い値に設定することで階調の小さい部分の分解能を上げ、バックライト１７３の発光量が少ない場合でも、階調の小さい部分の区別がつきやすくできる。カメラ２４のダイナミックレンジを変更するためには、カメラ画像パラメータの中で、(E1)AE設定情報、(E2)AWB設定情報、(E3)AGC設定情報、(E4)BLC設定情報、および(C9)白黒レベル調整情報を変更する必要があるため、通信コマンド生成部１４は、これら５つのパラメータを変更する変更内容を決定する。
【００３６】
このように決定された変更内容は、複数のカメラ画像パラメータを変更するものであるので（Ｓ４３のＹｅｓ）、複数のパラメータを変更するパッキングコマンドを生成する（Ｓ４４）。他の場合の処理としては、例えば、直射日光の元で撮像する撮像モードや、夜間に撮像する際の撮像モードにするコマンドを予め設定しておき、ディスプレイ画像パラメータの変更内容に応じて、コマンドを選出するようにすることもできる。なお、決定された変更内容が、単一のカメラ画像パラメータを変更するものであるときは（Ｓ４３のＮｏ）、単一のパラメータを変更するコマンドを生成する（Ｓ４５）。生成されたコマンドは、通信コマンド送信部１５から通信コマンドとしてカメラユニット２に送信される。
【００３７】
図６は、カメラ画像パラメータ調整部２３の動作を示すフロー図である。カメラ画像パラメータ調整部２３は、通信コマンド受信部２２が通信コマンドを受信すると（Ｓ５１）、通信コマンドによって変更が指示された内容を判断する（Ｓ５２）。カメラ画像パラメータ格納部２１に格納されたカメラ画像パラメータのうち、変更が指示されたカメラ画像パラメータを変更する（Ｓ５３、Ｓ５４）。上述の例では、カメラ２４のダイナミックレンジが現在よりも低い値に設定されるように、(E1)AE設定情報、(E2)AWB設定情報、(E3)AGC設定情報、(E4)BLC設定情報、および(C9)白黒レベル調整情報を変更する。
【００３８】
なお、上述においては、ＩＬＬ信号がＯＦＦの状態からＯＮの状態に変化した際を例に挙げて説明したが、ＩＬＬ信号がＯＮの状態からＯＦＦの状態に変化しれた際にも、変化方向に対応した動作をすることでディスプレイ１７の表示を見やすくすることができる。具体的には、ディスプレイ画像パラメータ変更部１２にて、バックライト１７３の発光量が現在よりも増加するようにディスプレイ画像パラメータ格納部１１に格納されたバックライト調光情報を変更し、通信コマンド生成部１４にて、カメラ２４のダイナミックレンジが大きくなるように、(E1)AE設定情報、(E2)AWB設定情報、(E3)AGC設定情報、(E4)BLC設定情報、および(C9)白黒レベル調整情報を変更するコマンドを生成する。これにより、バックライト１７３の発光量が増加しディスプレイ１７に表示される画像が明るくなった場合でも、白やけさせることなく明るい部分での階調間の区別がついた画像を表示できる。
【００３９】
以上のように、実施の形態１に係るカメラシステムによれば、ＩＬＬ信号の状態が変化した際に、バックライト１７３の発光量が減少するまたは増加するようバックライト調光情報を変更し、基準値からの差異量または発光量の変化に合わせてカメラ２４の撮像するダイナミックレンジを変更するようにしたので、バックライト１７３の発光量が変化しディスプレイ１７に表示される画像の明るさが変化した場合でも、暗く変化した場合には階調の低い暗い部分での階調間の区別をつきやすくし、明るく変化した合には階調の高い明るい部分での階調間の区別をつきやすくできる。
【００４０】
なお、上述においては、ＩＬＬ信号を検出することにより車両の周囲が暗くなったことを検出したが、他の方法により検出することもできる。例えば、ディスプレイ画像パラメータ変更部１２で、現在時刻によって朝昼夕夜などの時間帯を判断して、判断した時間帯に応じてディスプレイ画像パラメータの値を設定する。具体的には、例えば、時刻が午後６時のとき、夜であると判断しディスプレイ１７のバックライトが暗くなるようバックライト調光情報を変更し、時刻が午前７時のとき、朝であると判断しディスプレイ１７のバックライトが明るくなるようバックライト調光情報を変更する。なお、時計が日付（月日または年月日）も含む現在時刻を取得する場合には、日付から決まる季節に応じて朝昼夕夜を判断する時刻を変更するようにしてもよい。さらに、車両の現在位置と日付から日の出と日没の時刻を計算し、日の出と日没の時刻も利用して朝昼夕夜などを判断するようにしてもよい。
【００４１】
また、他の方法によりディスプレイ１７の明るさを決めるようにしてもよい。例えば、現在の日付と時刻である日時から太陽の位置を計算し、車両の位置および走行方向から、車両に差し込む太陽光の方向と強さを判断して、ディスプレイ１７の明るさを調整する。具体的には、例えば、車両に太陽光が差し込む場合には、ディスプレイ１７のバックライトが暗いと画像が見えにくくなるため、バックライトが明るくなるようバックライト調光情報を変更する。これにより、ディスプレイ１７に周囲の環境に応じて適切な画像表示をさせることができる。
【００４２】
また、他の方法によりディスプレイ１７の明るさを決めるようにしてもよい。例えば、車内に設置されたディスプレイ１７周辺の照度を計測する照度センサが計測した照度に応じてディスプレイ画像パラメータを調整する。例えば、ディスプレイ１７の周囲の照度が低い場合には、ディスプレイ１７のバックライトが明るいと画像が見えにくくなるため、バックライトが暗くなるようバックライト調光情報を変更する。これにより、周囲の環境に応じて適切にディスプレイ１７に画像を表示させることができる。
【００４３】
また、上述においては、ディスプレイ画像パラメータ変更部１２は、ＩＬＬ信号や時刻情報といった所定の情報に基づいてディスプレイ画像パラメータ格納部１１に格納されたディスプレイ画像パラメータを変更するようにした。ディスプレイ情報変更部１２に、ユーザによるディスプレイ画像パラメータの変更を受け付けるヒューマンインタフェースを持たせてもよい。ディスプレイ１７のおかれた環境は様々であり、また、ユーザの好む画像状態も様々であるため、ユーザによる任意の設定に対応することができる。
【００４４】
なお、通信コマンド生成部１４は、ディスプレイ画像パラメータの所定の基準値に対する差異量を求め、この差異量に基づいてカメラ画像パラメータを決めるようにした。しかし、新たに設定したディスプレイ画像パラメータの、その直前に設定されていた値からの変化量を求め、設定されているカメラ画像パラメータを求めた変化量に対応する量だけ変更するようにしてもよい。
【００４５】
ディスプレイ画像パラメータ（表示条件）の変更に対して、変更後の表示条件に対応したカメラ画像パラメータ（撮像条件）を表示装置で計算したが、表示条件が変更されたことを撮像装置に伝え、撮像装置で撮像条件を計算して、計算した撮像条件に変更するようにしてもよい。
【００４６】
なお、実施の形態１では、カメラシステムが車両に搭載される場合について説明したが、カメラシステムは車載用に限られるものではない。
以上のことは、他の実施の形態にもあてはまる。
【００４７】
実施の形態２．
車両の周囲をカメラにより撮像し車内に設けられたディスプレイに車両の周囲の状況を表示する運転支援装置などの装置においては、ディスプレイには、運転者が実際に目視したのと同じように見えるように、被写体が表示されることが望ましい。例えば、ディスプレイ画像パラメータの(B1)自動色調整情報は色調に係る情報であるが、この情報を変更することにより同じ画像信号のディスプレイ１７で表示される色が変化する。例えば、運転者が(B1)自動色調整情報をディスプレイ１７がやや赤っぽく表示するように調整している場合、画像信号をそのまま表示すると白の被写体が赤っぽい白として表示される。そこで、本実施の形態に係るカメラシステムにおいては、赤っぽく表示するように(B1)自動色調整情報が設定されている場合に、カメラユニット２において白の被写体を青っぽい白になるように撮像することにより、白い被写体を白くディスプレイ１７に表示させる。図７は、実施の形態２に係るカメラシステムの構成を示すブロック図である。図１と同一または対応する構成については、同一の符号を付し、説明を省略する。
【００４８】
ヒューマンインタフェースを有するディスプレイ画像パラメータ変更部１２ａを用いて、運転者が自動色調整情報をディスプレイ１７がやや赤っぽく表示するよう調整すると、変化抽出部１３は(B1)自動色調整情報を変更されたパラメータとして検出する。通信コマンド生成部１４ａは、(B1)自動色調整情報について白の被写体が白く表現されるときの値を基準値として記憶しており、(B1)自動色調整情報の基準値からの差異量を求める。その上で通信コマンド生成部１４ａは、求めた差異量に基づいて(B1)自動色調整情報がどのように変更されているかを判断する。例えば、上述の場合であれば、赤っぽく自動色調整されるように(B1)自動色調整情報が変更されていると判断する。そして、通信コマンド生成部１４ａは、上記ディスプレイ１７において白い被写体が白く表示される画像信号が生成されるように、カメラの(E1)AWB設定情報を決定する。上述の例では、白い被写体が青っぽい白になるように撮像されるように(E1)AWB設定情報を決定する。具体的には、(B1)自動色調整情報の差異量に対して、その差異量に対応して差異を打ち消すのに必要十分なように変化させた(E1)AWB設定情報を求める。そして、そのような値に変更するための通信コマンドを作成し、通信コマンド送信部１５からカメラユニット２に送信する。
【００４９】
カメラユニット２では、通信コマンド受信部２２が(E1)AWB設定情報を示す通信コマンドを受信し、カメラ画像パラメータ調整部２３が受信した通信コマンドによりカメラ画像パラメータ格納部２１に格納されている(E1)AWB設定情報を変更する。これにより、カメラ２４からは、変更された(E1)AWB設定情報に基づいて被写体を撮像した画像信号が出力され、ディスプレイ１７にはこの画像信号に基づいた画像が表示される。
【００５０】
このように、本実施の形態に係るカメラシステムは、ディスプレイ画像パラメータ格納部１１に格納されている(B1)AWB設定情報と所定の基準値との差異に基づいて、その差異を打ち消す方向にカメラ画像パラメータ格納部２１に格納された(E1)AWB設定情報を変更し、カメラが撮像する色を、ディスプレイでの表示色のずれとは反対方向に調整することで、ディスプレイ１７において画像を運転者が実際に目視したのと同じような色で表示させることができる。
【００５１】
なお、上述では、ディスプレイ画像パラメータの(B1)自動色調整情報に基づいてカメラ画像パラメータの(E1)AWB設定情報を変更させるようにしたが、ディスプレイ画像パラメータの他のパラメータを変更した場合に、変更されたパラメータに関連するカメラ画像パラメータを変更させることもできる。
【００５２】
例えば、ディスプレイ画像パラメータの(B2)白ピーク制御情報の場合は、カメラ画像パラメータの(E3)AGC設定情報、(E4)BLC設定情報および(C9)白黒レベル調整情報を変更する。(B2)白ピーク制御情報は、ディスプレイ１７が表示する画像における白黒の輝度範囲を表す情報である。運転者が白ピーク制御情報を、例えば、画像信号が普通の明るさの白である場合でもやや灰色に表示されるよう調整している場合、カメラユニット２から送信された画像信号を調整せずそのまま表示させると、白い被写体がディスプレイ１７に灰色で表示される。
【００５３】
そこで、(B2)白ピーク制御情報の場合も(B1)自動色調整情報の場合と同様、白の被写体が白く表現される基準値からの差異量を抽出し、この差異量に基づいてカメラ画像パラメータ格納部２１に格納された(E3)AGC設定情報、(E4)BLC設定情報および(C9)白黒レベル調整情報を変更する。このとき、カメラ２４で撮像される画像信号の輝度が、(B2)白ピーク制御情報が基準値よりも暗く表示されるように設定されている場合は大きくなるように、明るくなるように設定されている場合は小さくなるように、(E3)AGC設定情報、(E4)BLC設定情報および(C9)白黒レベル調整情報を変更する。これにより、ディスプレイ１７において白い被写体を白く表示することができる。
【００５４】
以上のように、本実施の形態に係るカメラシステムは、例えば色バランスについて、白い被写体がそのまま白い被写体として撮像された画像信号を表示させた場合に被写体が白く表示されるようなディスプレイ画像パラメータ（表示条件）の値、すなわち、被写体がカメラ２４によりカメラ画像パラメータ（撮像条件）に基づき撮像された状態のままディスプレイ１７に表示されるような設定値を基準値とする。そして、この基準値に対する表示条件の変化に応じて、表示条件の変化を打ち消して表示条件が基準値である場合に表示される画像と同じまたは差が小さい画像になるような値に、変化した表示条件に関連する撮像条件を変化させる。そのため、表示条件が基準値とは異なる値に設定されていた場合であっても、運転者が実際に目視したのと同じまたは差が小さく見えるように画像を表示することができる。また、本実施の形態に係るカメラシステムにおいては、カメラがどのように被写体を撮像するかを示す撮像条件を変更するようにしているので、単にカメラから出力された画像信号に対し画像処理を行う場合よりも、より鮮明な画像を表示させることができる。
【００５５】
表示条件の基準値を持たずに、表示条件を変更した場合に、変更前後での表示条件の変化量に応じて、表示条件の変化を打ち消して変化する前の表示条件で表示される画像と同じまたは差が小さい画像になるような値に、変化した表示条件に関連する撮像条件を変化させるようにしてもよい。
【００５６】
なお、上述では、ディスプレイ画像パラメータの(B1)自動色調整情報に基づいてカメラ画像パラメータの(E1)AWB設定情報を変更させる場合、および、ディスプレイ画像パラメータの(B2)白ピーク制御情報に基づいてカメラ画像パラメータの(E3)AGC設定情報および(E4)BLC設定情報を変更する場合を例に挙げて説明したが、その他にも図８に示した対応関係のあるパラメータを変更することで、ディスプレイ１７において画像を所望の状態で表示させることができる。
【００５７】
図８は、カメラ画像パラメータとディスプレイ画像パラメータとの関係を示す対応図である。以下のような対応関係がある。
【００５８】
（ディスプレイ画像パラメータ）⇔（カメラ画像パラメータ）
(B1)自動色調整情報             ⇔ (E1)ＡＷＢ設定値
(B2)白ピーク制御情報           ⇔ (E3)AGC設定情報、(E4)BLC設定情報、
(C9)白黒レベル調整情報
(A1)ガンマカーブ調整情報       ⇔ (C1)ガンマカーブ調整情報
(A2)ノイズ圧縮調整情報         ⇔ (C2)フィルタ処理切り替え情報
(A3)色輪郭補正情報             ⇔ (C3)輪郭強調段数切り替え情報
(A4)輝度輪郭補正情報           ⇔ (C3)輪郭強調段数切り替え情報
(A5)HUE調整情報               ⇔ (C4)HUE調整情報
(A6)彩度調整情報               ⇔ (C5)彩度調整情報
(A7)コントラスト調整情報       ⇔ (C6)コントラスト調整情報
(A8)シャープネス調整情報       ⇔ (C7)シャープネス調整情報
【００５９】
なお、ディスプレイ画像パラメータの(B3)バックライト調光情報の変化は、(B3)バックライト調光情報を除くディスプレイ画像パラメータ及びカメラ画像パラメータの全項目に影響を及ぼす。そのため、バックライト調光情報が変化した場合には、バックライト調光情報を除くディスプレイ画像パラメータ全体と、カメラ画像パラメータ全体を変更させるようにすることが望ましいが、実施の形態１のように特に大きく影響するパラメータのみを変更させるようにしてもよい。
【００６０】
以上のように、本実施の形態に係るカメラシステムにおいては、ディスプレイ画像パラメータ（表示条件）の基準値に対する差異量を求め、差異量に応じて変化させた値をカメラ画像パラメータ（撮像条件）として設定するので、元々設定されていたカメラ画像パラメータでは画像信号に含めることができなかった情報まで画像信号に含めることができ、ディスプレイにおいて被写体をより忠実に再現することができる。
【００６１】
実施の形態３．
実施の形態３は、表示条件に対応する撮像条件をカメラユニット２ｂ（撮像装置）で決めるようにした場合である。図９は、実施の形態３に係るカメラシステムの構成を示すブロック図である。図１と同一または対応する構成については、同一の符号を付し、説明を省略する。
【００６２】
ホストユニット１ｂ（表示装置）は、変化抽出部１３にて抽出された変化したディスプレイ画像パラメータ（表示条件）に関する情報（変化したパラメータと、その基準値との差異量）をカメラユニット２ｂ（撮像装置）に送るための通信コマンドを作成する。
【００６３】
カメラユニット２ｂは、カメラ画像パラメータ調整部２３ｂ（撮像条件決定部、撮像条件変更部）を有する。カメラ画像パラメータ調整部２３ｂは、通信コマンド受信部２２が受信した通信コマンドから変化したディスプレイ画像パラメータとその差異量を取得し、差異量に応じてカメラ画像パラメータを決定し、決定した値にカメラ画像パラメータ格納部２１に格納されたカメラ画像パラメータを変更する
【００６４】
実施の形態３に係るカメラシステムは、実施の形態１とほぼ同様に動作する。相違するのは、ホストユニット１ｂからカメラユニット２ｂに、ディスプレイ画像パラメータの変化に関する情報が送られ、送られた情報に基づいてカメラユニット２ｂで、変化後のディスプレイ画像パラメータに対応するカメラ画像パラメータを決定する点である。
ディスプレイ画像パラメータの変化に関する情報として、基準値との差異量ではなく、変化前後での変化量を送ってもよい。
【符号の説明】
【００６５】
１，１ａ，１ｂ  ホストユニット（表示装置）
１１  ディスプレイ画像パラメータ格納部（表示条件記憶部）
１２，１２ａ  ディスプレイ画像パラメータ変更部（表示条件変更部）
１３  変化抽出部（撮像条件決定部）
１４，１４ａ  通信コマンド生成部（撮像条件決定部）
１４ｂ  通信コマンド生成部
１５  通信コマンド送信部
１６  画像信号受信部
１７  ディスプレイ（表示部）
１８  通信部
２，２ｂ  カメラユニット（撮像装置）
２１  カメラ画像パラメータ格納部（撮像条件記憶部）
２２  通信コマンド受信部
２３  カメラ画像パラメータ調整部（撮像条件変更部）
２３ｂ  カメラ画像パラメータ調整部（撮像条件決定部、撮像条件変更部）
２４  カメラ（撮像部）
２５  画像信号送信部
２６  通信部
２７  映像信号送信部
【図１】
2011154997.tif 000003
【図２】
2011154997.tif 000004
【図３】
2011154997.tif 000005
【図４】
2011154997.tif 000006
【図５】
2011154997.tif 000007
【図６】
2011154997.tif 000008
【図７】
2011154997.tif 000009
【図８】
2011154997.tif 000010
【図９】
2011154997.tif 000011
【手続補正書】
【提出日】平成24年6月13日(2012.6.13)
【手続補正１】
【補正対象書類名】明細書
【補正対象項目名】全文
【補正方法】変更
【補正の内容】
【発明の詳細な説明】
【技術分野】
【０００１】
この発明は、撮像条件にしたがって画像を撮像する撮像装置と、撮像した画像を表示する表示装置とを有し、表示装置の表示条件の変化に応じて、変化後の表示条件で適切に表示できるように撮像条件を変化させる撮像システム、撮像装置および表示装置に関する。
【背景技術】
【０００２】
撮像する撮像装置と撮像装置で撮像した画像を表示する表示装置を有するシステムでは、撮像装置は設定された撮像条件に基づいて被写体を撮像して画像信号を生成し、表示装置は設定された表示条件に基づいて画像信号に基づく画像を表示する。しかし、撮像装置の撮像条件と表示装置の表示条件とは個別に設定されるので、撮像条件と表示条件との間で整合がとれていないと、画像を適切に表示させることができない。そこで、撮像装置が被写体を撮像したときの撮像条件に合わせて表示条件を変更することにより、画像を適切に表示するようにした画像表示システムがある（特許文献１）。
【先行技術文献】
【特許文献】
【０００３】
【特許文献１】特開２００７−１７８８３１号公報
【発明の概要】
【発明が解決しようとする課題】
【０００４】
しかし、特許文献１の画像表示システムでは、任意の撮像条件により被写体を撮像することで得られた画像信号に対し、表示装置にて表示条件に基づく補正を行っている。撮像条件として設定されたダイナミックレンジなどの値によると、その値では撮像できない情報は、そもそも画像信号には含まれない。そのため、そのような画像信号に含まれない情報を十分に補うことは、表示装置で表示設定を変更することだけでは実現できない。よって、画像における被写体の再現性が低いという問題があった。
【０００５】
本願発明は、このような課題に対してなされたものであり、画像における被写体の再現性を高めることができる撮像システムを提供することを目的とする。
【課題を解決するための手段】
【０００６】
本願発明に係る撮像システムは、撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、前記表示条件に対応した前記撮像条件を決める撮像条件決定部とを備え、前記表示装置において、表示条件と撮像条件との関係を有し、前記表示条件変更部により前記表示条件記憶部に記憶された前記表示条件が変更された場合に、前記撮像条件決定部が変更後の前記表示条件に対応した前記撮像条件を決め、前記撮像装置において、前記撮像条件決定部が決めた前記撮像条件に前記撮像条件変更部が前記撮像条件記憶部が記憶する前記撮像条件を変更することを特徴とするものである。
【０００７】
また、表示に関する設定値である表示条件にしたがって画像を表示し、前記表示条件を外部に出力する表示装置と接続される撮像装置であって、撮像に関する設定値である撮像条件を記憶する撮像条件記憶部と、前記撮像条件記憶部に記憶された前記撮像条件にしたがって被写体を撮像し画像信号を生成する撮像部と、前記画像信号を前記表示装置に出力し、前記表示装置から送られる前記表示条件を受信する通信部と、前記通信部が受信した前記表示条件に対応した前記撮像条件を決める撮像条件決定部と、前記撮像条件決定部が決めた前記撮像条件に前記撮像条件記憶部が記憶する前記撮像条件を変更する前記撮像条件変更部とを備えた撮像装置である。
【０００８】
また、撮像に関する設定値である撮像条件にしたがって撮像し、前記撮像条件が外部から変更できる撮像装置と接続される表示装置であって、表示に関する設定値である表示条件を記憶する表示条件記憶部と、前記撮像装置が撮像した画像を前記表示条件記憶部に記憶された前記表示条件にしたがって表示する表示部と、前記表示条件記憶部に記憶された前記表示条件を変更する表示条件変更部と、前記表示条件に対応した前記撮像条件を決める撮像条件決定部と、前記撮像装置と通信する通信部とを備え、前記表示条件変更部により前記表示条件記憶部に記憶された前記表示条件が変更された場合に、前記撮像条件決定部が変更後の前記表示条件に対応した前記撮像条件を決め、決められた前記撮像条件を前記通信部により前記撮像装置に送信することを特徴とする表示装置である。
【発明の効果】
【０００９】
本発明によれば、画像における被写体の再現性を高めることができる。
【図面の簡単な説明】
【００１０】
【図１】実施の形態１に係るカメラシステムの構成を示すブロック図である。
【図２】実施の形態１に係るカメラシステムにおけるディスプレイの構成を示すブロック図である。
【図３】実施の形態１に係るカメラシステムにおけるカメラの構成を示すブロック図である。
【図４】実施の形態１に係るカメラシステムにおける変化抽出部の動作を示すフロー図である。
【図５】実施の形態１に係るカメラシステムにおける通信コマンド生成部の動作を示すフロー図である。
【図６】実施の形態１に係るカメラシステムにおけるカメラ画像パラメータ調整部の動作を示すフロー図である。
【図７】実施の形態２に係るカメラシステムの構成を示すブロック図である。
【図８】実施の形態２に係るカメラシステムにおけるカメラ画像パラメータとディスプレイ画像パラメータとの関係を示す対応図である。
【図９】実施の形態３に係るカメラシステムの構成を示すブロック図である。
【発明を実施するための形態】
【００１１】
実施の形態１．
図１は、実施の形態１に係るカメラシステムの構成を示すブロック図である。本実施の形態に係るカメラシステムは車両に搭載される車載用カメラシステムである。図１において、カメラシステム（撮像システム）は、車内に設置されたホストユニット１（表示装置）、および当該ホストユニット１と接続され車両の周囲を撮像するカメラユニット２（撮像装置）とを含んで構成されている。カメラシステムは、車両の周囲をカメラユニット２が撮像し、撮像された車両の周囲の画像をホストユニット１が表示することにより、運転手に車両の周囲の状況を確認させるものである。電子制御ユニット３は、一般に車両に搭載されているＥＣＵ（Electric Control Unit）であり、車両に搭載されている各種計測機器の計測値を検出し、車両情報として出力するものである。ホストユニット１は電子制御ユニット３から出力される車両情報を利用して、処理を行う。
【００１２】
ホストユニット１は、画像を表示するディスプレイ１７（表示部）、ディスプレイ１７に画像を表示させる上でのパラメータに対する設定値であるディスプレイ画像パラメータ（表示条件）を格納するディスプレイ画像パラメータ格納部１１（表示条件記憶部）、ディスプレイ画像パラメータ格納部１１に格納されたディスプレイ画像パラメータを変更するディスプレイ画像パラメータ変更部１２、ディスプレイ画像パラメータ格納部１１に格納されているディスプレイ画像パラメータのうち、変化したパラメータを抽出する変化抽出部１３、変化抽出部１３にて抽出された変化したディスプレイ画像パラメータに基づいて、カメラユニット２をどのように制御するかを判断し、通信コマンドを生成する通信コマンド生成部１４、通信コマンド生成部１４にて生成された通信コマンドをカメラユニット２に対し送信する通信コマンド送信部１５（撮像条件出力部）、カメラユニット２から後述画像信号を受信する画像信号受信部１６を含んで構成されている。
【００１３】
この実施の形態では、ディスプレイ画像パラメータ変更部１２は、電子制御ユニット３から出力される車両情報のうち、車両の運転者がライトスイッチを操作して車両に搭載されたランプを点灯させたことを示すＩＬＬ信号（点灯信号）を検出し、検出したＩＬＬ信号に基づいてディスプレイ画像パラメータ格納部１１に格納されたディスプレイ画像パラメータを変更する。画像信号受信部１６にて受信した画像信号は、ディスプレイ画像パラメータ格納部１１に格納されたディスプレイ画像パラメータに基づいてディスプレイ１７に表示される。
【００１４】
通信コマンド生成部１４は、ディスプレイ画像パラメータの基準値（通常は、工場出荷時に設定されている値）を持っており、基準値との差異量に基づいてカメラユニット２の撮像に関するパラメータをどのように変更するかを判断し、その変更を伝えるコマンドを生成する。
【００１５】
変化抽出部１３および通信コマンド生成部１４は、ディスプレイ画像パラメータ格納部１１に格納されているディスプレイ画像パラメータと基準値との差異量に基づいて、後述のカメラ２４がどのように画像を撮像するかを示す撮像条件を決定する撮像条件決定部を構成する。また、通信コマンド送信部１５および画像信号受信部１６は通信部１８を構成する。なお、基準値は、通信コマンド生成部１４が記憶しているものとしたが、ディスプレイ画像パラメータ格納部１１に記憶させておき、通信コマンド生成部１４が通信コマンドを生成する際に読み出すようにしてもよいし、基準値を格納する構成を別途設け、通信コマンド生成部１４が通信コマンドを生成する際にこの構成から読み出すようにしてもよい。いずれにしても、ディスプレイ画像パラメータ（表示条件）の基準値を記憶する基準表示条件記憶部を、ホストユニット１は有する。
【００１６】
カメラユニット２は、カメラでどのように画像を撮像するかに関するパラメータに対する設定値であるカメラ画像パラメータ（撮像条件）を格納するカメラ画像パラメータ格納部２１（撮像条件記憶部）、ホストユニット１の通信コマンド送信部１５から送信された通信コマンドを受信する通信コマンド受信部２２、通信コマンド受信部２２が受信した通信コマンドに基づいてカメラ画像パラメータ格納部２１に格納されたカメラ画像パラメータを変更するカメラ画像パラメータ調整部２３（撮像条件変更部）、車両に取り付けられ、カメラ画像パラメータ格納部２１に格納されたカメラ画像パラメータに基づいて車両の周囲を撮像して画像信号を生成するカメラ２４（撮像部）、カメラ２４から出力された画像信号をホストユニット１の画像信号受信部１６に送信する画像信号送信部２５を含んで構成されている。なお、通信部２６は通信コマンド受信部２２および画像信号送信部２５を含んで構成されている。
【００１７】
図２は、ディスプレイ１７の構成を示すブロック図である。図２において、ディスプレイ１７は、画像信号に含まれる色信号を調整する色信号調整部１７１、画像信号に含まれる輝度信号を調整する輝度信号調整部１７２、光源としてのバックライト１７３と、バックライト１７３から出力される光を、輝度信号調整部１７２から出力される画像信号に基づいて変調した画像を表示するＬＣＤパネル１７４（画像表示素子）と、バックライト１７３の発光量を調整するバックライト調光部１７５とを含んで構成されている。
【００１８】
ディスプレイ画像パラメータ格納部１１には、以下に示すようなディスプレイ画像パラメータが格納されている。ディスプレイ画像パラメータは、画質に関するものとそれ以外に分類できる。
【００１９】
（画質に関するディスプレイ画像パラメータ）
(A1) ガンマカーブ調整情報。
(A2) ノイズ圧縮調整情報。
(A3) 色輪郭補正情報。
(A4) 輝度輪郭補正情報。
(A5) HUE（色相）調整情報。
(A6) 彩度調整情報。
(A7) コントラスト調整情報。
(A8) シャープネス調整情報。
【００２０】
（画質に関するもの以外のディスプレイ画像パラメータ）
(B1) 自動色調整（Automatic Color Control）情報。入力信号の強度によらず色信号の強度を一定に保つようにするための情報。
(B2) 白ピーク制御（White Peak Control）情報。入力信号の強度によらず輝度信号の強度を一定に保つようにするための情報。
(B3) バックライト調光情報（発光量情報）。バックライト１７５の発光量を表す情報。
(B4) ＬＣＤパネル１７４のドットサイズ情報（解像度情報）。
(B5) ディスプレイ１７のフレームレート情報。
(B6) 色空間情報。ディスプレイ１７で表示できる色の範囲を表す情報。
【００２１】
色信号調整部１７１は、ディスプレイ画像パラメータ格納部１１に格納されたパラメータの中で、(B1)自動色調整情報、(A1)ガンマカーブ調整情報、(A2)ノイズ圧縮調整情報、(A3)色輪郭補正情報、(A5)HUE調整情報、(A6)彩度調整情報、(A7)コントラスト調整情報、(A8)シャープネス調整情報、(B4)ＬＣＤパネル１７４の解像度情報、(B5)フレームレート情報に基づいて、画像信号に含まれる色信号を調整する。
【００２２】
輝度信号調整部１７２は、ディスプレイ画像パラメータ格納部１１に格納されたパラメータの中で、(B2)白ピーク制御情報、(A1)ガンマカーブ調整情報、(A2)ノイズ圧縮調整情報、(A4)輝度輪郭補正情報、(A7)コントラスト調整情報、(A8)シャープネス調整情報、(B4)ＬＣＤパネル１７４の解像度情報、(B5)フレームレート情報、(B6)色空間情報に基づいて画像信号に含まれる輝度信号を調整する。
【００２３】
バックライト調光部１７５は、ディスプレイ画像パラメータ格納部１１に格納されている(B3)バックライト調光情報に基づいてバックライト１７３を発光量を調整することにより、ＬＣＤパネル１７４全体の明るさを調整する。なお、ＬＣＤパネル１７４の種類により色空間と解像度が異なるため、ＬＣＤパネル１７４の種類に応じて画像信号を調整することが望ましい。そこで、ディスプレイ画像パラメータ変更部１２は、ＬＣＤパネル１７４の種類を示すパネル種類情報を取得し、取得したパネル種類情報に基づいて決めた値に、ディスプレイ画像パラメータ格納部１１に格納されたディスプレイ画像パラメータの中で、(B4)ＬＣＤパネル１７４の解像度情報、(B5)フレームレート情報、(B6)色空間情報を変更する。このように、LCDパネルの種類によってディスプレイ画像パラメータを変更し、色信号調整部１７１および輝度信号調整部１７２による画像信号の調整、バックライト調光部１７５によるバックライト１７３の発光量を調整することにより、カメラで撮像する被写体をディスプレイ上で忠実に再現することができる。
【００２４】
カメラユニット２のカメラ画像パラメータ格納部２１には、以下に示すようなカメラ画像パラメータが格納されている。カメラ画像パラメータは、画質に関するものと撮像に関するものとが、少なくとも格納されている。
【００２５】
（画質に関するカメラ画像パラメータ）
(C1) ガンマカーブ調整情報。
(C2) フィルタ処理切り替え情報。
(C3) 輪郭強調段数切り替え情報。
(C4) HUE（色相）調整情報。
(C5) 彩度調整情報。
(C6) コントラスト調整情報。
(C7) シャープネス調整情報。
(C8) シェーディング調整情報。
(C9) 白黒レベル調整情報。
【００２６】
（撮像に関するカメラ画像パラメータ）
(D1) カメラのオート機能の情報。
(D2) カメラの撮像画面サイズ情報。
(D3) カメラの撮像フレームレート情報。
【００２７】
(E1)カメラのオート機能の情報とは、以下のような撮像に関してカメラで設定される設定値である。
（カメラのオート機能の情報）
(E2) AE（自動露光）設定情報。露光エリアや、収束の明るさ、収束の明るさへの時間的変化などのパラメータが含まれる。
(E3) AWB（自動白バランス）設定情報。バランスエリアや、収束の色空間、収束の色空間への時間的変化などのパラメータが含まれる。
(E4) AGC（オートゲインコントロール）設定情報。
(E5) BLC（ブラックレベルコントロール）設定情報。
【００２８】
図３は、カメラ２４の構成を示すブロック図である。カメラ２４は、被写体を撮像し画像信号として出力する固体撮像素子などのイメージセンサ２４１と、画像信号の黒レベルを調整する黒レベル調整部２４２と、黒レベル調整部２４２にて調整された画像信号に含まれる色信号を調整する色信号調整部２４３と、色信号調整部２４３から出力された画像信号に含まれる輝度信号を調整する輝度信号調整部２４４とを含んで構成される。イメージセンサ２４１は、カメラ画像パラメータ格納部２１に格納されたパラメータの中で、(E2)AE設定情報、(E3)AWB設定情報、(E4)AGC設定情報、(E5)BLC設定情報に基づいて被写体を撮像する。特に、イメージセンサ２４１は自動露光（AE)および自動白バランス（AWB）の機能を有しており、カメラ画像パラメータ格納部２１に格納されている(E2)AE設定情報と(E3)AWB設定情報に基づいて自動露光および自動白バランスを調整するため、最適な露光状態における最適な色状態の画像を得ることができる。
【００２９】
黒レベル調整部２４２は、カメラ画像パラメータ格納部２１に格納されている(C9)白黒レベル情報に基づいて、画像の最も黒い部分の明るさを調整する。色信号調整部２４３は、(C1)ガンマカーブ調整情報、(C2)フィルタ処理切り替え情報、(C3)輪郭強調段数切り替え情報、(C4)HUE調整情報、(C5)彩度調整情報、(C6)コントラスト調整情報、(C7)シャープネス調整情報、(C8)シェーディング調整情報、(C9)白黒レベル調整情報に基づいて画像信号に含まれる色信号を調整する。
【００３０】
輝度信号調整部２４４は、(C1)ガンマカーブ調整情報、(C2)フィルタ処理切り替え情報、(C6)コントラスト調整情報、(C7)シャープネス調整情報、(C8)シェーディング調整情報、(C9)白黒レベル調整情報に基づいて画像信号に含まれる輝度信号を調整する。輝度信号調整部２４４にて調整された画像信号は、画像信号送信部２７からホストユニット１に出力する。このように、カメラ２４は、カメラ画像パラメータ格納部２１に格納されているカメラ画像パラメータに応じて、画像信号を生成し出力する。なお、イメージセンサの種類によって、画像信号の示す画像の解像度は異なっている。
【００３１】
次に、本実施の形態に係るカメラシステムの動作について説明する。
例えば、日が沈んで車両の周囲が暗くなってくると、日中と同じ輝度で画像を表示すると、ディスプレイ１７に表示される画像が運転者にはまぶしく感じられる。そこで、このように車両の周囲が暗くなった場合、ディスプレイ１７に表示される画像を暗くするようにしている。本実施の形態にかかるカメラシステムでは、車両の周囲が暗くなったことを電子制御ユニット３から出力されるＩＬＬ信号を用いて判断している。ＩＬＬ信号とは、運転者がライトスイッチを操作してランプを点灯させたときに、ライトスイッチが操作されたことを検出した電子制御ユニット３から出力される、車両に搭載されたランプを点灯させたことを示す信号のことである。車両の運転者は、車両の周囲が暗くなるとライトスイッチを操作して車両に搭載されたランプを点灯させるため、このＩＬＬ信号を検出することにより車両の周囲が暗くなったことを検出することができる。なお、ＩＬＬ信号は、車両に搭載されたランプを点灯させたことを示す場合には、ＯＮの状態になっている。
【００３２】
ディスプレイ画像パラメータ変更部１２は、電子制御ユニット３が出力するＩＬＬ信号を検出する。ＩＬＬ信号がＯＦＦの状態からＯＮの状態に変化した場合には、ディスプレイ１７のバックライト１７３の発光量が少なくなるように、ディスプレイ画像パラメータ格納部１１に格納されているバックライト調光情報を変更する。また、ディスプレイ画像パラメータ変更部１２は、変化抽出部１３にディスプレイ画像パラメータ格納部１１に格納されているディスプレイ画像パラメータを変更した変更通知を出力する。ディスプレイ画像パラメータ変更部１２は、車両に設けられたランプの点灯または消灯を示す点灯信号を取得する点灯信号取得部でもある。
【００３３】
図４は、変化抽出部１３の動作を示すフロー図である。変化抽出部１３は、ディスプレイ画像パラメータ変更部１２から変更通知が出力されると（Ｓ３１）、ディスプレイ画像パラメータ格納部１１に格納されているパラメータのうち、変化のあったパラメータを抽出する（Ｓ３２〜Ｓ３４）。上述のようにバックライト１７３の発光量が少なくなるようにバックライト調光情報を変更させた場合には、バックライト調光情報が変化のあったパラメータとして抽出されることになる。
【００３４】
図５、通信コマンド生成部１４の動作を示すフロー図である。通信コマンド生成部１４は、変化抽出部１３が変化したディスプレイ画像パラメータを抽出すると（Ｓ４１）、抽出したディスプレイ画像パラメータが基準値に対しどれだけ変化しているかを示す差異量を求める。そして、その差異量に基づいてカメラ画像パラメータをどのように変更するかという変更内容を決定する（Ｓ４２）。例えば、バックライト１７３を１００％の発光量で発光させるパラメータがバックライト調光情報の基準値として設定されていたときに、バックライト調光情報がバックライト１７３を５０％の発光量で発光させる値に変更されたとすると、バックライト調光情報の設定値の減少量または減少割合に応じて、カメラ２４が撮像する階調のダイナミックレンジを現在の設定よりも低い値に設定するようにする。ダイナミックレンジを小さくするために、撮像した画像信号において最も明るい階調に対応する輝度値（撮像できる輝度範囲の上限）を小さくする。小さくしたダイナミックレンジを大きくする場合には、撮像できる輝度範囲の上限を大きくする。
【００３５】
バックライト１７３の発光量を少なくした場合には、画像信号での１階調間の輝度の差が小さくなることから、画像のうち階調の小さい暗い部分は階調間の区別がつきにくくなり黒く塗りつぶされたように見えてしまうが、カメラ２４が撮像する階調のダイナミックレンジを低い値に設定することで階調の小さい部分の分解能を上げ、バックライト１７３の発光量が少ない場合でも、階調の小さい部分の区別がつきやすくできる。カメラ２４のダイナミックレンジを変更するためには、カメラ画像パラメータの中で、(E2)AE設定情報、(E3)AWB設定情報、(E4)AGC設定情報、(E5)BLC設定情報、および(C9)白黒レベル調整情報を変更する必要があるため、通信コマンド生成部１４は、これら５つのパラメータを変更する変更内容を決定する。
【００３６】
このように決定された変更内容は、複数のカメラ画像パラメータを変更するものであるので（Ｓ４３のＹｅｓ）、複数のパラメータを変更するパッキングコマンドを生成する（Ｓ４４）。他の場合の処理としては、例えば、直射日光の元で撮像する撮像モードや、夜間に撮像する際の撮像モードにするコマンドを予め設定しておき、ディスプレイ画像パラメータの変更内容に応じて、コマンドを選出するようにすることもできる。なお、決定された変更内容が、単一のカメラ画像パラメータを変更するものであるときは（Ｓ４３のＮｏ）、単一のパラメータを変更するコマンドを生成する（Ｓ４５）。生成されたコマンドは、通信コマンド送信部１５から通信コマンドとしてカメラユニット２に送信される。
【００３７】
図６は、カメラ画像パラメータ調整部２３の動作を示すフロー図である。カメラ画像パラメータ調整部２３は、通信コマンド受信部２２が通信コマンドを受信すると（Ｓ５１）、通信コマンドによって変更が指示された内容を判断する（Ｓ５２）。カメラ画像パラメータ格納部２１に格納されたカメラ画像パラメータのうち、変更が指示されたカメラ画像パラメータを変更する（Ｓ５３、Ｓ５４）。上述の例では、カメラ２４のダイナミックレンジが現在よりも低い値に設定されるように、(E2)AE設定情報、(E3)AWB設定情報、(E4)AGC設定情報、(E5)BLC設定情報、および(C9)白黒レベル調整情報を変更する。
【００３８】
なお、上述においては、ＩＬＬ信号がＯＦＦの状態からＯＮの状態に変化した際を例に挙げて説明したが、ＩＬＬ信号がＯＮの状態からＯＦＦの状態に変化した際にも、変化方向に対応した動作をすることでディスプレイ１７の表示を見やすくすることができる。具体的には、ディスプレイ画像パラメータ変更部１２にて、バックライト１７３の発光量が現在よりも増加するようにディスプレイ画像パラメータ格納部１１に格納されたバックライト調光情報を変更し、通信コマンド生成部１４にて、カメラ２４のダイナミックレンジが大きくなるように、(E2)AE設定情報、(E3)AWB設定情報、(E4)AGC設定情報、(E5)BLC設定情報、および(C9)白黒レベル調整情報を変更するコマンドを生成する。これにより、バックライト１７３の発光量が増加しディスプレイ１７に表示される画像が明るくなった場合でも、白やけさせることなく明るい部分での階調間の区別がついた画像を表示できる。
【００３９】
以上のように、実施の形態１に係るカメラシステムによれば、ＩＬＬ信号の状態が変化した際に、バックライト１７３の発光量が減少するまたは増加するようバックライト調光情報を変更し、基準値からの差異量または発光量の変化に合わせてカメラ２４の撮像するダイナミックレンジを変更するようにしたので、バックライト１７３の発光量が変化しディスプレイ１７に表示される画像の明るさが変化した場合でも、暗く変化した場合には階調の低い暗い部分での階調間の区別をつきやすくし、明るく変化した合には階調の高い明るい部分での階調間の区別をつきやすくできる。
【００４０】
なお、上述においては、ＩＬＬ信号を検出することにより車両の周囲が暗くなったことを検出したが、他の方法により検出することもできる。例えば、ディスプレイ画像パラメータ変更部１２で、現在時刻によって朝昼夕夜などの時間帯を判断して、判断した時間帯に応じてディスプレイ画像パラメータの値を設定する。具体的には、例えば、時刻が午後６時のとき、夜であると判断しディスプレイ１７のバックライトが暗くなるようバックライト調光情報を変更し、時刻が午前７時のとき、朝であると判断しディスプレイ１７のバックライトが明るくなるようバックライト調光情報を変更する。なお、時計が日付（月日または年月日）も含む現在時刻を取得する場合には、日付から決まる季節に応じて朝昼夕夜を判断する時刻を変更するようにしてもよい。さらに、車両の現在位置と日付から日の出と日没の時刻を計算し、日の出と日没の時刻も利用して朝昼夕夜などを判断するようにしてもよい。
【００４１】
また、他の方法によりディスプレイ１７の明るさを決めるようにしてもよい。例えば、現在の日付と時刻である日時から太陽の位置を計算し、車両の位置および走行方向から、車両に差し込む太陽光の方向と強さを判断して、ディスプレイ１７の明るさを調整する。具体的には、例えば、車両に太陽光が差し込む場合には、ディスプレイ１７のバックライトが暗いと画像が見えにくくなるため、バックライトが明るくなるようバックライト調光情報を変更する。これにより、ディスプレイ１７に周囲の環境に応じて適切な画像表示をさせることができる。
【００４２】
また、他の方法によりディスプレイ１７の明るさを決めるようにしてもよい。例えば、車内に設置されたディスプレイ１７周辺の照度を計測する照度センサが計測した照度に応じてディスプレイ画像パラメータを調整する。例えば、ディスプレイ１７の周囲の照度が低い場合には、ディスプレイ１７のバックライトが明るいと画像が見えにくくなるため、バックライトが暗くなるようバックライト調光情報を変更する。これにより、周囲の環境に応じて適切にディスプレイ１７に画像を表示させることができる。
【００４３】
また、上述においては、ディスプレイ画像パラメータ変更部１２は、ＩＬＬ信号や時刻情報といった所定の情報に基づいてディスプレイ画像パラメータ格納部１１に格納されたディスプレイ画像パラメータを変更するようにした。ディスプレイ情報変更部１２に、ユーザによるディスプレイ画像パラメータの変更を受け付けるヒューマンインタフェースを持たせてもよい。ディスプレイ１７のおかれた環境は様々であり、また、ユーザの好む画像状態も様々であるため、ユーザによる任意の設定に対応することができる。
【００４４】
なお、通信コマンド生成部１４は、ディスプレイ画像パラメータの所定の基準値に対する差異量を求め、この差異量に基づいてカメラ画像パラメータを決めるようにした。しかし、新たに設定したディスプレイ画像パラメータの、その直前に設定されていた値からの変化量を求め、設定されているカメラ画像パラメータを求めた変化量に対応する量だけ変更するようにしてもよい。
【００４５】
ディスプレイ画像パラメータ（表示条件）の変更に対して、変更後の表示条件に対応したカメラ画像パラメータ（撮像条件）を表示装置で計算したが、表示条件が変更したことを撮像装置に伝え、撮像装置で撮像条件を計算して、計算した撮像条件に変更するようにしてもよい。
【００４６】
なお、実施の形態１では、カメラシステムが車両に搭載される場合について説明したが、カメラシステムは車載用に限られるものではない。
以上のことは、他の実施の形態にもあてはまる。
【００４７】
実施の形態２．
車両の周囲をカメラにより撮像し車内に設けられたディスプレイに車両の周囲の状況を表示する運転支援装置などの装置においては、ディスプレイには、運転者が実際に目視したのと同じように見えるように、被写体が表示されることが望ましい。例えば、ディスプレイ画像パラメータの自動色調整情報は色調に係る情報であるが、この情報を変更することにより同じ画像信号のディスプレイ１７で表示される色が変化する。例えば、運転者が自動色調整情報をディスプレイ１７がやや赤っぽく表示するように調整している場合、画像信号をそのまま表示すると白の被写体が赤っぽい白として表示される。そこで、本実施の形態に係るカメラシステムにおいては、赤っぽく表示するように自動色調整情報が設定されている場合に、カメラユニット２において白の被写体を青っぽい白になるように撮像することにより、白い被写体を白くディスプレイ１７に表示させる。図７は、実施の形態２に係るカメラシステムの構成を示すブロック図である。図１と同一または対応する構成については、同一の符号を付し、説明を省略する。
【００４８】
ヒューマンインタフェースを有するディスプレイ画像パラメータ変更部１２ａを用いて、運転者が自動色調整情報をディスプレイ１７がやや赤っぽく表示するよう調整すると、変化抽出部１３は(B1)自動色調整情報を変更されたパラメータとして検出する。通信コマンド生成部１４ａは、(B1)自動色調整情報について白の被写体が白く表現されるときの値を基準値として記憶しており、(B1)自動色調整情報の基準値からの差異量を求める。その上で通信コマンド生成部１４ａは、求めた差異量に基づいて(B1)自動色調整情報がどのように変更されているかを判断する。例えば、上述の場合であれば、赤っぽく自動色調整されるように(B1)自動色調整情報が変更されていると判断する。そして、通信コマンド生成部１４ａは、上記ディスプレイ１７において白い被写体が白く表示される画像信号を生成されるように、カメラの(E2)AWB設定情報を決定する。上述の例では、白い被写体が青っぽい白になるように撮像されるように(E2)AWB設定情報を決定する。具体的には、(B1)自動色調整情報の差異量に対して、その差異量に対応して差異を打ち消すのに必要十分なように変化させた(E2)AWB設定情報を求める。そして、そのような値に変更するための通信コマンドを作成し、通信コマンド送信部１５からカメラユニット２に送信する。
【００４９】
カメラユニット２では、通信コマンド受信部２２が(E2)AWB設定情報を示す通信コマンドを受信し、カメラ画像パラメータ調整部２３が受信した通信コマンドによりカメラ画像パラメータ格納部２１に格納されている(E2)AWB設定情報を変更する。これにより、カメラ２４からは、変更された(E2)AWB設定情報に基づいて被写体を撮像した画像信号が出力され、ディスプレイ１７にはこの画像信号に基づいた画像が表示される。
【００５０】
このように、本実施の形態に係るカメラシステムは、ディスプレイ画像パラメータ格納部１１に格納されている(B1)AWB設定情報と所定の基準値との差異に基づいて、その差異を打ち消す方向にカメラ画像パラメータ格納部２１に格納された(E2)AWB設定情報を変更し、カメラが撮像する色を、ディスプレイでの表示色のずれとは反対方向に調整することで、ディスプレイ１７において画像を運転者が実際に目視したのと同じような色で表示させることができる。
【００５１】
なお、上述では、ディスプレイ画像パラメータの(B1)自動色調整情報に基づいてカメラ画像パラメータの(E2)AWB設定情報を変更させるようにしたが、ディスプレイ画像パラメータの他のパラメータを変更した場合に、変更されたパラメータに関連するカメラ画像パラメータを変更させることもできる。
【００５２】
例えば、ディスプレイ画像パラメータの(B2)白ピーク制御情報の場合は、カメラ画像パラメータの(E4)AGC設定情報、(E5)BLC設定情報および(C9)白黒レベル調整情報を変更する。(B2)白ピーク制御情報は、ディスプレイ１７が表示する画像における白黒の輝度範囲を表す情報である。運転者が白ピーク制御情報を、例えば、画像信号が普通の明るさの白である場合でもやや灰色に表示されるよう調整している場合、カメラユニット２から送信された画像信号を調整せずそのまま表示させると、白い被写体がディスプレイ１７に灰色で表示される。
【００５３】
そこで、(B2)白ピーク制御情報の場合も(B1)自動色調整情報の場合と同様、白の被写体が白く表現される基準値からの差異量を抽出し、この差異量に基づいてカメラ画像パラメータ格納部２１に格納された(E4)AGC設定情報、(E5)BLC設定情報および(C9)白黒レベル調整情報を変更する。このとき、カメラ２４で撮像される画像信号の輝度が、(B2)白ピーク制御情報が基準値よりも暗く表示されるように設定されている場合は大きくなるように、明るくなるように設定されている場合は小さくなるように、(E4)AGC設定情報、(E5)BLC設定情報および(C9)白黒レベル調整情報を変更する。これにより、ディスプレイ１７において白い被写体を白く表示することができる。
【００５４】
以上のように、本実施の形態に係るカメラシステムは、例えば色バランスについて、白い被写体がそのまま白い被写体として撮像された画像信号を表示させた場合に被写体が白く表示されるようなディスプレイ画像パラメータ（表示条件）の値、すなわち、被写体がカメラ２４によりカメラ画像パラメータ（撮像条件）に基づき撮像された状態のままディスプレイ１７に表示されるような設定値を基準値とする。そして、この基準値に対する表示条件の変化に応じて、表示条件の変化を打ち消して表示条件が基準値である場合に表示される画像と同じまたは差が小さい画像になるような値に、変化した表示条件に関連する撮像条件を変化させる。そのため、表示条件が基準値とは異なる値に設定されていた場合であっても、運転者が実際に目視したのと同じまたは差が小さく見えるように画像を表示することができる。また、本実施の形態に係るカメラシステムにおいては、カメラがどのように被写体を撮像するかを示す撮像条件を変更するようにしているので、単にカメラから出力された画像信号に対し画像処理を行う場合よりも、より鮮明な画像を表示させることができる。
【００５５】
表示条件の基準値を持たずに、表示条件を変更した場合に、変更前後での表示条件の変化量に応じて、表示条件の変化を打ち消して変化する前の表示条件で表示される画像と同じまたは差が小さい画像になるような値に、変化した表示条件に関連する撮像条件を変化させるようにしてもよい。
【００５６】
なお、上述では、ディスプレイ画像パラメータの(B1)自動色調整情報に基づいてカメラ画像パラメータの(E2)AWB設定情報を変更させる場合、および、ディスプレイ画像パラメータの(B2)白ピーク制御情報に基づいてカメラ画像パラメータの(E4)AGC設定情報および(E5)BLC設定情報を変更する場合を例に挙げて説明したが、その他にも図８に示した対応関係のあるパラメータを変更することで、ディスプレイ１７において画像を所望の状態で表示させることができる。
【００５７】
図８は、カメラ画像パラメータとディスプレイ画像パラメータとの関係を示す対応図である。以下のような対応関係がある。
【００５８】
（ディスプレイ画像パラメータ）⇔（カメラ画像パラメータ）
(B1)自動色調整情報             ⇔ (E2)ＡＷＢ設定値
(B2)白ピーク制御情報           ⇔ (E4)AGC設定情報、(E5)BLC設定情報、
(C9)白黒レベル調整情報
(A1)ガンマカーブ調整情報       ⇔ (C1)ガンマカーブ調整情報
(A2)ノイズ圧縮調整情報         ⇔ (C2)フィルタ処理切り替え情報
(A3)色輪郭補正情報             ⇔ (C3)輪郭強調段数切り替え情報
(A4)輝度輪郭補正情報           ⇔ (C3)輪郭強調段数切り替え情報
(A5)HUE調整情報               ⇔ (C4)HUE調整情報
(A6)彩度調整情報               ⇔ (C5)彩度調整情報
(A7)コントラスト調整情報       ⇔ (C6)コントラスト調整情報
(A8)シャープネス調整情報       ⇔ (C7)シャープネス調整情報
【００５９】
なお、ディスプレイ画像パラメータの(B3)バックライト調光情報の変化は、(B3)バックライト調光情報を除くディスプレイ画像パラメータ及びカメラ画像パラメータの全項目に影響を及ぼす。そのため、バックライト調光情報が変化した場合には、バックライト調光情報を除くディスプレイ画像パラメータ全体と、カメラ画像パラメータ全体を変更させるようにすることが望ましいが、実施の形態１のように特に大きく影響するパラメータのみを変更させるようにしてもよい。
【００６０】
以上のように、本実施の形態に係るカメラシステムにおいては、ディスプレイ画像パラメータ（表示条件）の基準値に対する差異量を求め、差異量に応じて変化させた値をカメラ画像パラメータ（撮像条件）として設定するので、元々設定されていたカメラ画像パラメータでは画像信号に含めることができなかった情報まで画像信号に含めることができ、ディスプレイにおいて被写体をより忠実に再現することができる。
【００６１】
実施の形態３．
実施の形態３は、表示条件に対応する撮像条件をカメラユニット２ｂ（撮像装置）で決めるようにした場合である。図９は、実施の形態３に係るカメラシステムの構成を示すブロック図である。図１と同一または対応する構成については、同一の符号を付し、説明を省略する。
【００６２】
ホストユニット１ｂ（表示装置）は、変化抽出部１３にて抽出された変化したディスプレイ画像パラメータ（表示条件）に関する情報（変化したパラメータと、その基準値との差異量）をカメラユニット２ｂ（撮像装置）に送るための通信コマンドを作成する。
【００６３】
カメラユニット２ｂは、カメラ画像パラメータ調整部２３ｂ（撮像条件決定部、撮像条件変更部）を有する。カメラ画像パラメータ調整部２３ｂは、通信コマンド受信部２２が受信した通信コマンドから変化したディスプレイ画像パラメータとその差異量を取得し、差異量に応じてカメラ画像パラメータを決定し、決定した値にカメラ画像パラメータ格納部２１に格納されたカメラ画像パラメータを変更する。
【００６４】
実施の形態３に係るカメラシステムは、実施の形態１とほぼ同様に動作する。相違するのは、ホストユニット１ｂからカメラユニット２ｂに、ディスプレイ画像パラメータの変化に関する情報が送られ、送られた情報に基づいてカメラユニット２ｂで、変化後のディスプレイ画像パラメータに対応するカメラ画像パラメータを決定する点である。
ディスプレイ画像パラメータの変化に関する情報として、基準値との差異量ではなく、変化前後での変化量を送ってもよい。
【００６５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６６】
１，１ａ，１ｂ  ホストユニット（表示装置）
１１  ディスプレイ画像パラメータ格納部（表示条件記憶部）
１２，１２ａ  ディスプレイ画像パラメータ変更部（表示条件変更部）
１３  変化抽出部（撮像条件決定部）
１４，１４ａ  通信コマンド生成部（撮像条件決定部）
１４ｂ  通信コマンド生成部
１５  通信コマンド送信部
１６  画像信号受信部
１７  ディスプレイ（表示部）
１８  通信部
２，２ｂ  カメラユニット（撮像装置）
２１  カメラ画像パラメータ格納部（撮像条件記憶部）
２２  通信コマンド受信部
２３  カメラ画像パラメータ調整部（撮像条件変更部）
２３ｂ  カメラ画像パラメータ調整部（撮像条件決定部、撮像条件変更部）
２４  カメラ（撮像部）
２５  画像信号送信部
２６  通信部
２７  映像信号送信部
【手続補正２】
【補正対象書類名】特許請求の範囲
【補正対象項目名】全文
【補正方法】変更
【補正の内容】
【特許請求の範囲】
【請求項１】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、
前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、
前記表示条件に対応した前記撮像条件を決める撮像条件決定部とを備え、
前記表示装置において、表示条件と撮像条件との関係を有し、前記表示条件変更部により前記表示条件記憶部に記憶された前記表示条件が変更された場合に、前記撮像条件決定部が変更後の前記表示条件に対応した前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項２】
前記表示条件変更部が前記表示部の発光量を減少させるように前記表示条件記憶部に記憶された前記表示条件を変更した場合に、前記撮像条件決定部が、前記撮像部が撮像する輝度範囲の上限が小さくなるように前記撮像条件を決定し、
前記表示条件変更部が前記表示部の発光量を増加させるように前記表示条件記憶部に記憶された前記表示条件を変更した場合に、前記撮像条件決定部が、前記撮像部が撮像する輝度範囲の上限が大きくなるように前記撮像条件を決定することを特徴とする請求項１に記載の撮像システム。
【請求項３】
前記撮像装置および前記表示装置は車両に取り付けられ、
前記車両に設けられたランプの点灯または消灯を示す点灯信号を取得する点灯信号取得部を備え、
前記点灯信号取得部が取得した前記点灯信号が前記表示条件変更部に入力され、
前記表示条件変更部が、点灯を示す前記点灯信号が入力された場合に、前記表示部の発光量を減少させるように前記表示条件記憶部に記憶された前記表示条件を変更し、消灯を示す前記点灯信号が入力された場合に、前記表示部の発光量を増加させるように前記表示条件記憶部に記憶された前記表示条件を変更することを特徴とする請求項２に記載の撮像システム。
【請求項４】
前記表示条件変更部が、現在時刻に基づいて、前記表示部の発光量を減少または増加させるように前記表示条件記憶部に記憶された前記表示条件を変更することを特徴とする請求項２に記載の撮像システム。
【請求項５】
前記表示条件変更部は、現在の日時と前記車両の位置に基づいて、前記表示部の発光量を減少または増加させるように前記表示条件記憶部に記憶された前記表示条件を変更することを特徴とする請求項２に記載の撮像システム。
【請求項６】
前記表示条件変更部は、現在の日時と前記車両の位置および走行方向に基づいて、前記表示部の発光量を減少または増加させるように前記表示条件記憶部に記憶された前記表示条件を変更することを特徴とする請求項２に記載の撮像システム。
【請求項７】
前記表示条件変更部は、前記表示装置の周囲の照度に基づいて、前記表示部の発光量を減少または増加させるように前記表示条件記憶部に記憶された前記表示条件を変更することを特徴とする請求項２に記載の撮像システム。
【請求項８】
前記表示部は、光源としてのバックライトと前記バックライトから出力される光により画像を表示する画像表示素子とを有し、
前記表示条件変更部は、前記画像表示素子の種類を示すパネル情報を前記画像表示素子から取得し、前記パネル情報に基づいて、前記表示条件を変更することを特徴とする請求項１ないし請求項７のいずれかに記載の撮像システム。
【請求項９】
前記表示装置が、前記表示条件の基準値を記憶する前記基準表示条件記憶部を有し、
前記撮像条件決定部が、前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決めることを特徴とする請求項１に記載の撮像システム。
【請求項１０】
前記撮像条件決定部が、前記表示条件の変更前に前記表示部に表示される画像と同じまたは差が小さい画像が前記表示部に表示されるように、前記表示条件の変化量に基づき、前記撮像条件を決めることを特徴とする請求項１に記載の撮像システム。
【請求項１１】
表示に関する設定値である表示条件にしたがって画像を表示し、前記表示条件を外部に出力する表示装置と接続される撮像装置であって、
撮像に関する設定値である撮像条件を記憶する撮像条件記憶部と、
前記撮像条件記憶部に記憶された前記撮像条件にしたがって被写体を撮像し画像信号を生成する撮像部と、
前記画像信号を前記表示装置に出力し、前記表示装置から送られる前記表示条件を受信する通信部と、
前記通信部が受信した前記表示条件に対応した前記撮像条件を決める撮像条件決定部と、
前記撮像条件決定部が決めた前記撮像条件に前記撮像条件記憶部が記憶する前記撮像条件を変更する前記撮像条件変更部とを備えた撮像装置。
【請求項１２】
撮像に関する設定値である撮像条件にしたがって撮像し、前記撮像条件が外部から変更できる撮像装置と接続される表示装置であって、
表示に関する設定値である表示条件を記憶する表示条件記憶部と、
前記撮像装置が撮像した画像を前記表示条件記憶部に記憶された前記表示条件にしたがって表示する表示部と、
前記表示条件記憶部に記憶された前記表示条件を変更する表示条件変更部と、
前記表示条件に対応した前記撮像条件を決める撮像条件決定部と、
前記撮像装置と通信する通信部とを備え、
前記表示条件変更部により前記表示条件記憶部に記憶された前記表示条件が変更された場合に、前記撮像条件決定部が変更後の前記表示条件に対応した前記撮像条件を決め、決められた前記撮像条件を前記通信部により前記撮像装置に送信することを特徴とする表示装置。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、  前記撮像装置と通信する通信部、表示に関する設定値である表示条件を記憶する表示条件記憶部、前記表示条件の基準値を記憶する基準表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、  前記表示条件に対応した前記撮像条件を決める撮像条件決定部とを備え、  前記表示装置において、表示条件と撮像条件との関係を有し、前記表示条件変更部により前記表示条件記憶部に記憶された前記表示条件が変更された場合に、前記撮像条件決定部が前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項２】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、  前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、  前記表示条件に対応した前記撮像条件を決める撮像条件決定部とを備え、  前記表示装置において、表示条件と撮像条件との関係を有し、前記表示条件変更部により、現在時刻に基づいて、前記表示部の発光量を減少させるように前記表示条件記憶部に記憶された前記表示条件が変更された場合に、前記撮像条件決定部が前記撮像部が撮像する輝度範囲の上限が小さくなるように前記撮像条件を決め、前記表示条件変更部により、現在時刻に基づいて、前記表示部の発光量を増加させるように前記表示条件記憶部に記憶された前記表示条件が変更された場合に、前記撮像条件決定部が前記撮像部が撮像する輝度範囲の上限が大きくなるように前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項３】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有し、車両に取り付けられる撮像装置と、  前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有し、車両に取り付けられる表示装置と、  前記表示条件に対応した前記撮像条件を決める撮像条件決定部とを備え、  前記表示装置において、表示条件と撮像条件との関係を有し、前記表示条件変更部により、現在の日時と前記車両の位置に基づいて、前記表示部の発光量を減少させるように前記表示条件記憶部に記憶された前記表示条件が変更された場合に、前記撮像条件決定部が前記撮像部が撮像する輝度範囲の上限が小さくなるように前記撮像条件を決め、前記表示条件変更部により、現在の日時と前記車両の位置に基づいて、前記表示部の発光量を増加させるように前記表示条件記憶部に記憶された前記表示条件が変更された場合に、前記撮像条件決定部が前記撮像部が撮像する輝度範囲の上限が大きくなるように前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項４】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有し、車両に取り付けられる撮像装置と、  前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有し、車両に取り付けられる表示装置と、  前記表示条件に対応した前記撮像条件を決める撮像条件決定部とを備え、  前記表示装置において、表示条件と撮像条件との関係を有し、前記表示条件変更部により、現在の日時と前記車両の位置および走行方向に基づいて、前記表示部の発光量を減少させるように前記表示条件記憶部に記憶された前記表示条件が変更された場合に、前記撮像条件決定部が前記撮像部が撮像する輝度範囲の上限が小さくなるように前記撮像条件を決め、前記表示条件変更部により、現在の日時と前記車両の位置および走行方向に基づいて、前記表示部の発光量を増加させるように前記表示条件記憶部に記憶された前記表示条件が変更された場合に、前記撮像条件決定部が前記撮像部が撮像する輝度範囲の上限が大きくなるように前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項５】
前記表示部は、光源としてのバックライトと前記バックライトから出力される光により画像を表示する画像表示素子とを有し、  前記表示条件変更部は、前記画像表示素子の種類を示すパネル情報を前記画像表示素子から取得し、前記パネル情報に基づいて、前記表示条件を変更することを特徴とする請求項２ないし請求項４のいずれかに記載の撮像システム。
【請求項６】
撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、  前記撮像装置と通信する通信部、表示に関する設定値である表示条件を記憶する表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有し、前記表示部は、光源としてのバックライトと前記バックライトから出力される光により画像を表示する画像表示素子とを有し、前記表示条件変更部は、前記画像表示素子の種類を示すパネル情報を前記画像表示素子から取得し、前記パネル情報に基づいて、前記表示条件を変更することを特徴とする表示装置と、  前記表示条件に対応した前記撮像条件を決める撮像条件決定部とを備え、  前記表示装置において、表示条件と撮像条件との関係を有し、前記表示条件変更部により前記表示条件記憶部に記憶された前記表示条件が変更された場合に、前記撮像条件決定部が変更後の前記表示条件に対応した前記撮像条件を決め、前記撮像装置において、前記撮像条件決定部が決めた前記撮像条件に前記撮像条件変更部が前記撮像条件記憶部が記憶する前記撮像条件を変更することを特徴とする撮像システム。
【請求項７】
前記表示条件変更部が前記表示部の発光量を減少させるように前記表示条件記憶部に記憶された前記表示条件を変更した場合に、前記撮像条件決定部が、前記撮像部が撮像する輝度範囲の上限が小さくなるように前記撮像条件を決定し、  前記表示条件変更部が前記表示部の発光量を増加させるように前記表示条件記憶部に記憶された前記表示条件を変更した場合に、前記撮像条件決定部が、前記撮像部が撮像する輝度範囲の上限が大きくなるように前記撮像条件を決定することを特徴とする請求項６に記載の撮像システム。
【請求項８】
前記撮像装置および前記表示装置は車両に取り付けられ、  前記車両に設けられたランプの点灯または消灯を示す点灯信号を取得する点灯信号取得部を備え、  前記点灯信号取得部が取得した前記点灯信号が前記表示条件変更部に入力され、  前記表示条件変更部が、点灯を示す前記点灯信号が入力された場合に、前記表示部の発光量を減少させるように前記表示条件記憶部に記憶された前記表示条件を変更し、消灯を示す前記点灯信号が入力された場合に、前記表示部の発光量を増加させるように前記表示条件記憶部に記憶された前記表示条件を変更することを特徴とする請求項７に記載の撮像システム。
【請求項９】
前記表示条件変更部が、現在時刻に基づいて、前記表示部の発光量を減少または増加させるように前記表示条件記憶部に記憶された前記表示条件を変更することを特徴とする請求項７に記載の撮像システム。
【請求項１０】
前記撮像装置および前記表示装置は車両に取り付けられ、前記表示条件変更部は、現在の日時と前記車両の位置に基づいて、前記表示部の発光量を減少または増加させるように前記表示条件記憶部に記憶された前記表示条件を変更することを特徴とする請求項７に記載の撮像システム。
【請求項１１】
前記撮像装置および前記表示装置は車両に取り付けられ、前記表示条件変更部は、現在の日時と前記車両の位置および走行方向に基づいて、前記表示部の発光量を減少または増加させるように前記表示条件記憶部に記憶された前記表示条件を変更することを特徴とする請求項７に記載の撮像システム。
【請求項１２】
前記表示条件変更部は、前記表示装置の周囲の照度に基づいて、前記表示部の発光量を減少または増加させるように前記表示条件記憶部に記憶された前記表示条件を変更することを特徴とする請求項７に記載の撮像システム。
【請求項１３】
撮像に関する設定値である撮像条件にしたがって撮像し、前記撮像条件が外部から変更できる撮像装置と接続される表示装置であって、  表示に関する設定値である表示条件を記憶する表示条件記憶部と、 前記表示条件の基準値を記憶する基準表示条件記憶部と、  前記撮像装置が撮像した画像を前記表示条件記憶部に記憶された前記表示条件にしたがって表示する表示部と、  前記表示条件記憶部に記憶された前記表示条件を変更する表示条件変更部と、  前記表示条件に対応した前記撮像条件を決める撮像条件決定部と、  前記撮像装置と通信する通信部とを備え、  前記表示条件変更部により前記表示条件記憶部に記憶された前記表示条件が変更された場合に、前記撮像条件決定部が前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決め、決められた前記撮像条件を前記通信部により前記撮像装置に送信することを特徴とする表示装置。
【手続補正２】
【補正対象書類名】明細書
【補正対象項目名】０００６
【補正方法】変更
【補正の内容】
【０００６】  本願発明に係る撮像システムは、撮像に関する設定値である撮像条件を記憶する撮像条件記憶部、前記撮像条件記憶部に記憶された前記撮像条件にしたがって被写体を撮像し画像信号を生成する撮像部、前記画像信号を表示する表示装置と通信する通信部、前記通信部が受信した情報に基づいて前記撮像条件記憶部に記憶された前記撮像条件を変更する撮像条件変更部を有する撮像装置と、前記撮像装置と通信する通信部、表示に関する設定値である表示条件を記憶する表示条件記憶部、前記表示条件の基準値を記憶する基準表示条件記憶部、前記通信部が受信した前記画像信号を前記表示条件記憶部に記憶された前記表示条件にしたがって表示する表示部、前記表示条件記憶部に記憶された前記表示条件を変更する表示条件変更部を有する表示装置と、前記表示条件に対応した前記撮像条件を決める撮像条件決定部とを備え、前記表示装置において、表示条件と撮像条件との関係を有し、前記表示条件変更部により前記表示条件記憶部に記憶された前記表示条件が変更された場合に、前記撮像条件決定部が前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決め、前記撮像装置において、前記撮像条件決定部が決めた前記撮像条件に前記撮像条件変更部が前記撮像条件記憶部が記憶する前記撮像条件を変更することを特徴とするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】  また、撮像に関する設定値である撮像条件にしたがって撮像し、前記撮像条件が外部から変更できる撮像装置と接続される表示装置であって、表示に関する設定値である表示条件を記憶する表示条件記憶部と、前記表示条件の基準値を記憶する基準表示条件記憶部と、前記撮像装置が撮像した画像を前記表示条件記憶部に記憶された前記表示条件にしたがって表示する表示部と、前記表示条件記憶部に記憶された前記表示条件を変更する表示条件変更部と、前記表示条件に対応した前記撮像条件を決める撮像条件決定部と、前記撮像装置と通信する通信部とを備え、前記表示条件変更部により前記表示条件記憶部に記憶された前記表示条件が変更された場合に、前記撮像条件決定部が前記基準表示条件記憶部に前記表示条件の基準値が記憶されている場合に前記表示部に表示される画像と同じまたは差が小さい画像が前記表示部に表示されるように、前記基準表示条件記憶部に記憶された前記表示条件の基準値と前記表示条件記憶部に記憶された前記表示条件との差異量に基づき、前記撮像条件を決め、決められた前記撮像条件を前記通信部により前記撮像装置に送信することを特徴とする表示装置である。
【国際調査報告】
2011154997.tif 000012
2011154997.tif 000013
2011154997.tif 000014
2011154997.tif 000015